(57)【要約】【課題】  医用画像を読影して作成されるレポートの電子ファイル作成技術に関し、複数の医用画像をレポートの文字列にリンク付けする作業を効率化させることによって、読影効率を向上させる技術を提供する。【解決手段】  読影対象と比較対象を含む複数の医用画像を表示し、読影レポートの作成画面を表示し、オペレータの一のリンク付け操作に応じて、表示されている少なくとも２以上の医用画像の記憶先アドレスを取得し、前記一のリンク付け操作に応じて、前記表示されている少なくとも２以上の医用画像の記憶先アドレスを前記読影レポートの所見欄の同一文字列にリンク付けする。【選択図】      図５
2008204012.tif 000002
【特許請求の範囲】
【請求項１】
読影レポートの電子ファイルを作成するレポート作成装置であって、
読影対象と比較対象を含む複数の医用画像を表示する第１の表示手段と、
読影レポートの作成画面を表示する第２の表示手段と、
オペレータの一のリンク付け操作に応じて、表示されている少なくとも２以上の医用画像の記憶先アドレスを取得するアドレス取得手段と、
前記一のリンク付け操作に応じて、前記表示されている少なくとも２以上の医用画像の記憶先アドレスを前記読影レポートの所見欄の同一文字列にリンク付けするリンク付け手段と、
を備えること、
を特徴とするレポート作成装置。
【請求項２】
前記リンク付け手段は、オペレータの操作に応じて入力された前記文字列に対してリンク付けすること、
を特徴とする請求項１記載のレポート作成装置。
【請求項３】
前記リンク付け手段は、
前記文字列として定型文を生成する文字列取得手段と、
前記定型文を前記所見欄に入力する定型文入力手段を含み、
前記定型文入力手段により入力された定型文にリンク付けすること、
を特徴とする請求項１記載のレポート作成装置。
【請求項４】
前記第１の表示手段は、比較対象の医用画像に対応する過去レポートの一覧をさらに表示し、
前記リンク付け手段は、
前記過去レポート内のキーフレーズを取得する文字列取得手段と、
前記文字列取得手段により取得されたキーフレーズを前記所見欄に入力するキーフレーズ入力手段と、
を含み、
前記キーフレーズを前記文字列としてリンク付けすること、
を特徴とする請求項１記載のレポート作成装置。
【請求項５】
前記文字列取得手段は、
前記過去レポート内のリンク付文字列をキーフレーズとして取得すること、
を特徴とする請求項４記載のレポート作成装置。
【請求項６】
前記文字列取得手段は、
前記過去レポート内の疾病名称をキーフレーズとして取得すること、
を特徴とする請求項４記載のレポート作成装置。
【請求項７】
前記第１の表示手段は、比較対象の医用画像に対応する過去レポートの一覧をさらに表示し、
前記リンク付け手段は、
前記過去レポートの一覧からのオペレータの選択操作に応じて、選択された過去レポートの内容を取得する文字列取得手段と、
前記文字列取得手段により取得された前記内容を前記所見欄に入力する内容入力手段と、
を含み、
前記内容を前記文字列としてリンク付けすること、
を特徴とする請求項１記載のレポート作成装置。
【請求項８】
前記第１の表示手段は、比較対象の医用画像に対応する過去レポートの一覧をさらに表示し、
前記リンク付け手段は、
前記過去レポートの一覧からのオペレータの選択操作に応じて、選択された過去レポートを示す識別情報を取得する文字列取得手段と、
前記文字列取得手段により取得された前記識別情報を前記所見欄に入力する識別情報入力手段と、
を含み、
前記識別情報を前記文字列としてリンク付けすること、
を特徴とする請求項１記載のレポート作成装置。
【請求項９】
前記アドレス取得手段は、前記第１の表示手段に表示されている全ての医用画像の記憶先アドレスを取得し、
前記リンク付け手段は、前記第１の表示手段に表示されている全ての医用画像の記憶先アドレスを前記同一文字列にリンク付けすること、
を特徴とする請求項１記載のレポート作成装置。
【請求項１０】
前記アドレス取得手段は、前記読影対象の医用画像とこの読影対象と関連づけられて表示されている医用画像の記憶先アドレスを取得し、
前記リンク付け手段は、前記読影対象の医用画像とこの読影対象と関連づけられて表示されている医用画像の記憶先アドレスを前記同一文字列にリンク付けすること、
を特徴とする請求項１記載のレポート作成装置。
【請求項１１】
読影レポートの電子ファイルを作成するレポート作成装置が備えるコンピュータを、
読影対象と比較対象を含む複数の医用画像を表示する第１の表示手段と、
読影レポートの作成画面を表示する第２の表示手段と、
オペレータの一のリンク付け操作に応じて、表示されている少なくとも２以上の医用画像の記憶先アドレスを取得するアドレス取得手段と、
前記一のリンク付け操作に応じて、前記表示されている少なくとも２以上の医用画像の記憶先アドレスを前記読影レポートの所見欄の同一文字列にリンク付けするリンク付け手段と、
として機能させること、
を特徴とするレポート作成プログラム。
【請求項１２】
前記第１の表示手段は、比較対象の医用画像に対応する過去レポートの一覧をさらに表示し、
前記リンク付け手段は、
前記過去レポート内のキーフレーズを取得する文字列取得手段と、
前記文字列取得手段により取得されたキーフレーズを前記所見欄に入力するキーフレーズ入力手段と、
を含み、
前記キーフレーズを前記文字列としてリンク付けすること、
を特徴とする請求項１１記載のレポート作成プログラム。
【請求項１３】
前記第１の表示手段は、比較対象の医用画像に対応する過去レポートの一覧をさらに表示し、
前記リンク付け手段は、
前記過去レポートの一覧からのオペレータの選択操作に応じて、選択された過去レポートの内容を取得する文字列取得手段と、
前記文字列取得手段により取得された前記内容を前記所見欄に入力する内容入力手段と、
を含み、
前記内容を前記文字列としてリンク付けすること、
を特徴とする請求項１１記載のレポート作成プログラム。
【請求項１４】
前記第１の表示手段は、比較対象の医用画像に対応する過去レポートの一覧をさらに表示し、
前記リンク付け手段は、
前記過去レポートの一覧からのオペレータの選択操作に応じて、選択された過去レポートを示す識別情報を取得する文字列取得手段と、
前記文字列取得手段により取得された前記識別情報を前記所見欄に入力する識別情報入力手段と、
を含み、
前記識別情報を前記文字列としてリンク付けすること、
を特徴とする請求項１１記載のレポート作成プログラム。
【発明の詳細な説明】
【技術分野】
【０００１】
本発明は、医用画像を読影して作成されるレポートの電子ファイル作成技術に関する。
【背景技術】
【０００２】
医療行為は、専門分野が細分化されているため、従来より画像診断装置で撮影した医用画像の読影を専門医に依頼することが広く行われている。読影医は、依頼された読影対象の医用画像をモニタに表示させ、読影結果をレポートにまとめる。読影医は、読影の際に、読影対象と比較の対象となる医用画像を表示させたり、同一患者の過去のレポートや比較対象の医用画像を読影した結果をまとめたレポートを表示させ、参考資料とする。
【０００３】
近年、レポートは、レポート作成画面をモニタに表示させて電子的に作成されることが多くなってきた。レポート作成装置では、読影対象の医用画像の所見を所見欄に入力していく。所見で指摘する画像については、所見欄に既に入力されている文字列に対してリンク対応範囲を特定し、この文字列に対してリンク付けを行う（例えば、「特許文献１」参照。）。
【０００４】
文字列に対する医用画像のリンク付けは、リンク付けする医用画像を指定するドラッグ操作を入力して、ドラッグ表示アイコンをリンク付けしようとする文字列にドロップ操作する。このドラッグ＆ドロップ操作によって、ドロップ操作された文字列にドラッグ操作された医用画像の記憶先を示すアドレス情報がリンク付けされる。同時にリンク付けされた文字列の色を変更し、下線を付して識別表示する。
【０００５】
このリンク付けによるレポートの作成技術によっては、画像を縮小又は切り出し等してレポートの電子ファイルに直接貼りつけていた従来と比べて、読影効率が向上した。しかし、レポートの所見欄にリンク付けされる医用画像は、読影結果の根拠となる医用画像や比較対象の医用画像や参考となる医用画像等の多数枚になることが多く、レポートの作成作業では、このリンク付け操作に多くの時間が割かれていた。従って、リンク付け操作の数が多くなればなるほど読影効率は落ちる。
【０００６】
例えば、従来のリンク付け技術では、読影対象の医用画像と比較対象の医用画像とを比較した所見を入力してリンク付けする際には、読影対象の医用画像をドラッグしてリンク付けする文字列にドロップする作業を行い、次に比較対象の医用画像をドラッグしてリンク付けする文字列にドロップする作業を行う。一般的にレポート作成画面と医用画像を作成する画面とは別のモニタで構成されており、この２往復のカーソル移動操作は、読影効率に悪影響を与える。
【０００７】
【特許文献１】特開２００５−３０１４５３号公報
【発明の開示】
【発明が解決しようとする課題】
【０００８】
本発明は、上記事情に鑑みてなされたものであり、その目的とするところは、医用画像を読影して作成されるレポートの電子ファイル作成技術に関し、複数の医用画像をレポートの文字列にリンク付けする作業を効率化させることによって、読影効率を向上させる技術を提供することにある。
【課題を解決するための手段】
【０００９】
上記課題を解決するために、本発明の第１の態様は、読影レポートの電子ファイルを作成するレポート作成装置であって、読影対象と比較対象を含む複数の医用画像を表示する第１の表示手段と、読影レポートの作成画面を表示する第２の表示手段と、オペレータの一のリンク付け操作に応じて、表示されている少なくとも２以上の医用画像の記憶先アドレスを取得するアドレス取得手段と、前記一のリンク付け操作に応じて、前記表示されている少なくとも２以上の医用画像の記憶先アドレスを前記読影レポートの所見欄の同一文字列にリンク付けするリンク付け手段と、を備えること、を特徴とする。
【００１０】
また、前記第１の表示手段は、比較対象の医用画像に対応する過去レポートの一覧をさらに表示し、前記リンク付け手段は、前記過去レポート内のキーフレーズを取得する文字列取得手段と、前記文字列取得手段により取得されたキーフレーズを前記所見欄に入力するキーフレーズ入力手段と、を含み、前記定型文を前記文字列としてリンク付けするようにしてもよい。
【００１１】
また、前記第１の表示手段は、比較対象の医用画像に対応する過去レポートの一覧をさらに表示し、前記リンク付け手段は、前記過去レポートの一覧からのオペレータの選択操作に応じて、選択された読影レポートの内容を取得する文字列取得手段と、前記文字列取得手段により取得された前記内容を前記所見欄に入力する内容入力手段と、を含み、前記内容を前記文字列としてリンク付けするようにしてもよい。
【００１２】
また、前記第１の表示手段は、比較対象の医用画像に対応する過去レポートの一覧をさらに表示し、前記リンク付け手段は、前記過去レポートの一覧からのオペレータの選択操作に応じて、選択された読影レポートを示す識別情報を取得する文字列取得手段と、前記文字列取得手段により取得された前記識別情報を前記所見欄に入力する識別情報入力手段と、を含み、前記識別情報を前記文字列としてリンク付けするようにしてもよい。
【００１３】
上記課題を解決するために、本発明の第２の態様は、レポート作成プログラムであって、読影レポートの電子ファイルを作成するレポート作成装置が備えるコンピュータを、読影対象と比較対象を含む複数の医用画像を表示する第１の表示手段と、読影レポートの作成画面を表示する第２の表示手段と、オペレータの一のリンク付け操作に応じて、表示されている少なくとも２以上の医用画像の記憶先アドレスを取得するアドレス取得手段と、前記一のリンク付け操作に応じて、前記表示されている少なくとも２以上の医用画像の記憶先アドレスを前記読影レポートの所見欄の同一文字列にリンク付けするリンク付け手段と、として機能させること、を特徴とする。
【００１４】
また、第２の態様において、前記第１の表示手段は、比較対象の医用画像に対応する過去レポートの一覧をさらに表示し、前記リンク付け手段は、前記過去レポート内のキーフレーズを取得する文字列取得手段と、前記文字列取得手段により取得されたキーフレーズを前記所見欄に入力するキーフレーズ入力手段と、を含み、前記定型文を前記文字列としてリンク付けするようにしてもよい。
【００１５】
また、第２の態様において、前記第１の表示手段は、比較対象の医用画像に対応する過去レポートの一覧をさらに表示し、前記リンク付け手段は、前記過去レポートの一覧からのオペレータの選択操作に応じて、選択された読影レポートの内容を取得する文字列取得手段と、前記文字列取得手段により取得された前記内容を前記所見欄に入力する内容入力手段と、を含み、前記内容を前記文字列としてリンク付けするようにしてもよい。
【００１６】
また、第２の態様において、前記第１の表示手段は、比較対象の医用画像に対応する過去レポートの一覧をさらに表示し、前記過去レポートの一覧からのオペレータの選択操作に応じて、選択された読影レポートを示す識別情報を取得する文字列取得手段と、前記文字列取得手段により取得された前記識別情報を前記所見欄に入力する識別情報入力手段と、を含み、前記識別情報を前記文字列としてリンク付けするようにしてもよい。
【発明の効果】
【００１７】
本発明の態様によっては、複数の医用画像をリンク付けする際の操作が簡便になり、読影効率が向上する。また、このリンク付けがなされたレポートを閲覧する際にも、一つのリンク付きの文字列をクリックすれば、その複数の医用画像の全てを見ることができる。特に、複数の画像を比較したレポートを作成した場合、そのレポートの参照効率は著しく向上する。
【００１８】
さらに、リンク付けする文字列を過去レポート内のキーフレーズ、過去レポートの内容、或いは過去レポートを示す識別情報として自動生成することによって、読影効率がさらに向上する。
【発明を実施するための最良の形態】
【００１９】
以下、本発明に係るリンク作成技術の好適な実施形態について、図面を参照しながら具体的に説明する。
【００２０】
（第１の実施形態）
図１は、本実施形態に係るレポート作成装置を含む病院情報システムの構成を示す模式図である。
【００２１】
病院情報（ＨＩＳ：Ｈｏｓｐｉｔａｌ  Ｉｎｆｏｒｍａｔｉｏｎ  Ｓｙｓｔｅｍ）システムは、病院内に設置されて医療情報の送受信を行うネットワークである。この病院情報システムは、医療情報サーバ２とレポート作成装置１とをネットワークＮでデータ送受信可能に接続して構成される。
【００２２】
医療情報サーバ２は、医用画像やレポートを含む医療情報を共有化するために、病院内で発生した医療情報を蓄積する。医用情報サーバ２は、病院情報システムサーバと医用画像サーバとレポートサーバとが含まれている。この医療情報サーバ２は、ネットワークＮに接続されているコンピュータ端末の検索要求や送信要求に応答して、蓄積している医療情報を検索し、該当する医療情報をコンピュータ端末に送信する。
【００２３】
レポート作成装置１は、例えば、放射線課読影室に設置され、読影を依頼された医用画像に対するレポートの電子ファイルを作成する。このレポート作成装置１は、読影を依頼された医用画像、この医用画像の情報主体に対する過去のレポート、この医用画像と比較対照すべき医用画像、或いは比較対象の医用画像を読影した過去のレポートを医療情報サーバ２から受信して表示する。同時にレポート作成画面を表示し、読影医の操作に応じて所見に文字列を入力し、又は文字列に対して医用画像をリンク付けする。
【００２４】
ネットワークＮは、電子データの伝送が可能な電子通信回線である。例えば電話回線網、ＩＳＤＮ、ＦＤＤＩ、専用線、移動体通信網、通信衛星回線、ＣＡＴＶ、又はこれらの複合が採用されたＷＡＮ（Ｗｉｄｅ  Ａｒｅａ  Ｎｅｔｗｏｒｋ）である。レポート作成装置１と医療情報サーバ２とは、このＷＡＮを利用して、例えばＷＷＷ（ワールド・ワイド・ウェブ）、ＴＣＰ／ＩＰプロトコル、ＤＩＣＯＭ（Ｄｉｇｉｔａｌ  Ｉｍａｇｉｎｇ  ａｎｄ  ＣＯｍｍｕｎｉｃａｔｉｏｎ  Ｍｅｄｉｃｉｎｅ）プロトコル等のネットワーク通信技術で電子データの通信を行う。
【００２５】
図２は、レポート作成装置１の構成を示すブロック図である。
【００２６】
レポート作成装置１は、ネットワークＮに接続されたワークステーション装置１１を備える。ワークステーション装置１１には、入力装置としてキーボード１４やマウス１５、表示装置としてレポートモニタ１２及び参照情報モニタ１３が信号入出力可能に接続される。レポートモニタ１２及び参照情報モニタ１３は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）等のディスプレイである。参照情報モニタ１３は、一度に多数の医療情報を参照できるようにマルチディスプレイが望ましい。
【００２７】
ワークステーション装置１１は、所謂コンピュータである。筐体内部に演算制御部１５ａ、主記憶部１５ｂ、外部記憶部１５ｃ、通信ポート１５ｄ、出力インターフェース１５ｅ、及び入力インターフェース１５ｆを備える。
【００２８】
外部記憶部（例えばＨＤＤ：Ｈａｒｄ  Ｄｉｓｋ  Ｄｒｉｖｅ）１５ｃには、コンピュータをレポート作成装置１として機能させるレポート作成プログラムが記憶されている。演算制御部（ＣＰＵ：Ｃｅｎｔｒａｌ  Ｐｒｏｃｅｓｓｉｎｇ  ＵｎｉｔやＧＰＵ：Ｇｒａｐｈｉｃｓ  Ｐｒｏｃｅｓｓｉｎｇ  Ｕｎｉｔ）１５ａは、外部記憶部１５ｃから処理の遷移や読影医等のオペレータの操作に応じて適宜レポート作成プログラムを主記憶部（ＲＡＭ：Ｒａｎｄｏｍ  Ａｃｃｅｓｓ  Ｍｅｍｏｒｙ）１５ｂに展開させ、この主記憶部１５ｂをワークエリアとしてプログラムを解読及び命令実行する。
【００２９】
通信ポート１５ｄは、ネットワークＮに接続されている。医療情報サーバ２に医療情報を要求し、医療情報サーバ２から医療情報取得する際、通信ポート１５ｄを介して送受信がなされる。
【００３０】
出力インターフェース１５ｅには、レポートモニタ１２及び参照情報モニタ１３が接続される。レポートモニタ１２にレポート作成画面や入力された文字列を表示し、参照情報モニタ１３に、読影対象の医用画像、比較対照すべき医用画像、その他参照用の医用画像、及び過去の読影対象の医用画像の情報主体である患者の過去のレポートや、比較対照すべき医用画像の過去のレポートを表示する際、この出力インターフェース１５ｅを介してこれらの描画データが出力される。
【００３１】
入力インターフェース１５ｆには、キーボード１４やマウス１５が接続される。キーボード１４やマウス１５が操作されて、その操作に対応する信号がキーボード１４やマウス１５から出力されると、この入力インターフェース１５ｆを介してワークステーション装置１１に入力される。
【００３２】
図３は、第１の実施形態に係るレポート作成装置１のレポート作成プログラムを実行した際の機能を示す機能ブロック図である。
【００３３】
レポート作成装置１は、データ取得部１０１とデータ記憶部１０２と表示制御部１０３とレポート作成部１０４と操作部１０５と参照情報表示部１０６とレポート表示部１０７とを備える。また、レポート作成部１０４は、リンク付け部１０８とアドレス取得部１０９とを備える。
【００３４】
データ取得部１０１は、主に演算制御部１５ａと通信ポート１５ｄとを含み構成される。このデータ取得部１０１は、医療情報サーバ２からネットワークＮを介して医用画像や過去のレポートを取得する。データ記憶部１０２は、主に主記憶部１５ｂを含み構成される。データ取得部１０１が取得した医用画像や過去のレポートは、データ記憶部１０２に記憶される。データ取得部１０１が取得する医用画像は、読影対象の医用画像、読影対象の医用画像と比較の対象となる医用画像、或いは読影対象の医用画像の情報主体である患者の比較対象としては特定されていない医用画像である。また、データ取得部１０１が取得する過去のレポートは、読影対象の医用画像の情報主体である患者の過去のレポート、或いは比較対象の医用画像の情報主体である患者の過去のレポートである。
【００３５】
データ取得部１０１は、読影対象として送信された医用画像に付帯する患者ＩＤや検査ＩＤを用いて、他の医用画像や過去のレポートを取得する。また、読影対象の医用画像と対応付けられた後述するオブジェクトデータに含まれる比較対象の医用画像の患者ＩＤや検査ＩＤを用いて、他の医用画像や過去のレポートを取得する。
【００３６】
オブジェクトデータは、各種識別情報の集合体データである。オブジェクトデータには、管理する検査やシリーズの識別情報、読影対象となった医用画像の撮影時に参照された検査やシリーズの識別情報、キー画像の識別情報、撮影時に参照されたレポートの識別情報、読影対象となった医用画像の撮影条件、読影対象となった医用画像の識別情報が集合している。このオブジェクトデータは、医療情報サーバ２で管理され、読影依頼時にレポート作成装置１へ送信される。
【００３７】
データ取得部１０１は、オブジェクトデータを参照する場合、この読影対象となった医用画像の撮影時に参照された検査やシリーズの識別情報を用いて比較対象の医用画像を取得する。管理する検査やシリーズの識別情報を用いて他の医用画像を取得する。読影対象となった医用画像の撮影時に参照された検査やシリーズの識別情報や、撮影時に参照されたレポートの識別情報を用いて過去のレポートを取得する。
【００３８】
表示制御部１０３は、主に演算制御部１５ａと出力インターフェース１５ｅを含み構成される。この表示制御部１０３は、参照情報表示部１０６とレポート表示部１０７に各種の画像を表示させる。参照情報表示部１０６は、参照情報モニタ１３であり、レポート表示部１０７は、レポートモニタ１２である。表示制御部１０３は、データ記憶部１０２に記憶されている医用画像や過去のレポートを参照情報モニタ１３に表示させ、レポート表示部１０７にレポート作成画面を表示させる。レポート作成画面に文字等が入力されると、伴ってレポート作成画面にその文字を表示させる。
【００３９】
レポート作成部１０４は、主に演算制御部１５ａと入力インターフェース１５ｆを含み構成される。このレポート作成部１０４は、操作部１０５から入力された操作信号に応じてレポートに文字等を入力し、レポートの電子ファイルを作成する。操作部１０５は、キーボード１４やマウス１５であり、オペレータの操作に対応した操作信号をレポート作成部１０４へ向けて出力する。
【００４０】
リンク付け部１０８は、主に演算制御部１５ａを含み構成される。このリンク付け部１０８は、操作部１０５からのリンク付け操作を反映した操作信号を契機として、レポートの所見欄に入力されている文字列に医用画像をリンク付けする。このリンク付け部１０８は、参照情報モニタ１３に表示されている一つの医用画像を一つの文字列にドラッグ＆ドロップする一の操作が行われると、参照情報モニタ１３に表示されている全ての医用画像をその同一の文字列にリンク付ける。参照情報モニタ１３に表示されている全ての医用画像の記憶先を示すアドレス情報をこの同一の文字列に関連づける。即ち、リンク付文字列には、表示されていた医用画像の記憶先を示すアドレス情報が関連づけられることとなる。
【００４１】
アドレス取得部１０９は、主に演算制御部１５ａと通信ポート１５ｄを含み構成される。アドレス取得部１０９は、データ記憶部１０２に記憶されている医用画像やオブジェクトデータを参照して、参照情報表示部１０６に表示されている全ての医用画像の画像ＩＤや検査ＩＤ等の識別情報を取得し、この識別情報から記憶先を示すアドレス情報を生成する。このアドレス取得部１０９で生成された表示中の全ての医用画像に対するアドレス情報をリンク付け部１０８が文字列に関連づける。読影対象の医用画像と比較対象の医用画像とが参照情報１０６に表示されている場合、読影対象と比較対象の医用画像に対するアドレス情報がアドレス取得部１０９により生成されてリンク付け部１０８で同一文字列に関連づけられる。尚、表示中の全ての医用画像には、参照情報表示部１０６に表示されているサムネイル画像を除くことが望ましい。
【００４２】
図４は、第１の実施形態に係るレポート作成装置のリンク付け動作を示すフローチャートである。
【００４３】
まずネットワークＮを通じて医用画像に対するレポートの作成依頼を受け付けると（Ｓ１１）、レポート表示部１０７にレポート作成画面を表示し（Ｓ１２）、参照情報表示部１０６に読影対象の医用画像を表示する（Ｓ１３）。さらに、オブジェクトデータを参照して、比較対象の医用画像と過去のレポートを医療情報サーバ２から適宜取得し（Ｓ１４）、比較対象の医用画像を参照情報表示部１０６に表示し（Ｓ１５）、過去のレポートのリストを参照情報表示部１０６に表示する（Ｓ１６）。
【００４４】
レポート作成画面には所見欄が設けられており、オペレータが操作部１０５を用いて所見欄に所見を記入するように操作することで、レポート作成部１０４は、所見欄に入力された文字列を配列した電子ファイルを作成する（Ｓ１７）。
【００４５】
所見欄に文字列が配列された状態で、参照情報表示部１０６に表示されている読影対象及び比較対象の画像を特定の文字列にリンク付けするために、まずリンク付けしようとする文字列にカーソルを合わせてリンク対応範囲を特定する（Ｓ１８）。
【００４６】
次に、読影対象又は比較対象の医用画像の何れかを指定するドラッグ操作入力する（Ｓ１９）。このドラッグ操作入力がされると、リンク付け部１０８は、ドラッグ表示アイコンを表示して（Ｓ１９）、レポート作成画面のリンク対応範囲表示部分にドロップ操作がなされて文字列が指定されると（Ｓ２０）、アドレス取得部１０９は、読影対象の医用画像と比較対象の医用画像の両方についてその記憶先を示すアドレス情報を生成し（Ｓ２１）、リンク付け部１０８は、リンク対応範囲表示部分に存在する同一文字列にアドレス取得部１０９が生成した読影対象と比較対象の医用画像のアドレス情報をハイパーリンクの形式で貼り付ける（Ｓ２２）。同時にハイパーリンクが設定されたリンク対応範囲の文字列の色を変更しかつ下線を付して識別表示する（Ｓ２３）。
【００４７】
図５は、第１の実施形態に係るリンク付けの様子を示す模式図である。また、図６は、リンク付けがされた文字列部分のデータ構成を示す模式図である。
【００４８】
図５に示すように、参照情報表示部１０６には、読影対象の医用画像３０１と比較対象の医用画像３０２とが表示されている。この医用画像３０１には、画像ＵＩＤに「○○」が付されており、医用画像３０２には、画像ＵＩＤに「××」が付されている。一方、レポート表示部１０７には、所見欄２０１が表示されており、この所見欄２０１には、例えば「肝臓両葉の腫瘍は前回ＣＴと比較して内部の濁染が減弱しており、治療効果による壊死領域の拡大と思われます。・・・」との文字列が入力されている。
【００４９】
オペレータが「肝臓両葉の腫瘍は前回ＣＴと比較して」の文字列をリンク付け文字列２０２に選び、読影対象の医用画像３０１のみをこの文字列２０２にドラッグ＆ドロップすると、図６に示すように、参照情報表示部１０６に表示されている読影対象の医用画像３０１の記憶先を示すアドレス情報３０１ａと比較対象の医用画像３０２の記憶先を示すアドレス情報３０２ａがこのリンク付け文字列２０２にリンク付けされた画像リンク情報２０３がレポートの電子ファイル２００に埋め込まれる。
【００５０】
さらに、図５に示すように、このリンク付け文字列２０２は、ハイパーリンクが設定されていることを示す文字飾りで修飾され、アンダーラインが付される。
【００５１】
このように、表示されている一つの医用画像をリンク付けする一度の操作によって、表示されている全ての医用画像のリンク付けが同一文字列に対してなされる。従って、複数の医用画像をリンク付けする際の操作が簡便になり、レポート作成効率が向上する。また、このリンク付けがなされたレポートを閲覧する際にも、リンク付けがなされている複数の医用画像を見るために一つ一つのリンク付きの文字列をそれぞれ選択する必要がなくなり、一つのリンク付きの文字列をクリックすれば、その複数の医用画像の全てを見ることができる。特に、複数の画像を比較したレポートを作成した場合、そのレポートを参照効率は著しく向上する。
【００５２】
（第２の実施形態）
第１の実施形態に係るレポート作成装置１では、予め入力されている文字列に対してリンク付けを行うようにしたが、リンク付けを行う際にレポートに定型文を自動入力し、その定型文に対して医用画像のリンク付けを行うようにしてもよい。
【００５３】
図７は、この第２の実施形態に係るレポート作成装置１の機能を示す機能ブロック図である。本実施形態に係るリンク付け部１０８は、文字列取得部１１０と入力部１１１とを備える。
【００５４】
文字列取得部１１０は、主に演算制御部１５ａと主記憶部１５ｂとを含み構成される。この文字列取得部１１０は、データ取得部１０１により取得されてデータ記憶部１０２に記憶されている過去のレポートからキーフレーズを取得する。文字列取得部１１０は、予め取得するキーフレーズの種類を記憶している。
【００５５】
キーフレーズの種類は、レポート作成プログラムの一部として外部記憶部１５ｃに記憶されており、このキーフレーズの種類を主記憶部１５ｂに展開して過去のレポートに対する検索キーとする。キーフレーズの種類は、リンク付文字列２０２や病名等である。レポートの電子ファイルには、病名を表す文字列を識別する識別タグが記録されており、この識別タグ以下に病名を表す文字列が記録されている。また、リンク付文字列２０２は、画像リンク情報２０３に記録されている。文字列取得部１１０は、この識別タグや画像リンク情報２０３を検索して、リンク付文字列や病名を表す文字列を取得する。
【００５６】
入力部１１１は、主に演算制御部１５ａを含み構成される。この入力文字列１１０は、文字列取得部１１０で取得されたキーフレーズを所見欄２０１に入力する。
【００５７】
リンク付け部１０８は、この文字列取得部１１０により取得されて入力部１１１により入力されたキーフレーズをリンク付文字列２０１として医用画像をリンク付けする。
【００５８】
図８は、第２の実施形態に係るレポート作成装置１のリンク付け動作を示すフローチャートである。
【００５９】
まず、所見欄に文字列が配列された状態で、参照情報表示部１０６に表示されている読影対象及び比較対象の画像を特定の文字列にリンク付けするために、読影対象又は比較対象の何れかを指定するドラッグ操作入力する（Ｓ３０）。
【００６０】
このドラッグ操作入力がされると、リンク付け部１０８は、ドラッグ表示アイコンを表示する（Ｓ３１）。レポート作成画面の所見欄にある空欄箇所にドロップ操作がなされると（Ｓ３２）、文字列取得部１１０は、データ記憶部１０２に記憶されている過去のレポートを検索してキーフレーズを取得する（Ｓ３３）。キーフレーズを取得すると表示制御部１０３は、取得したキーフレーズをキーフレーズリストとして選択可能に表示する（Ｓ３４）。
【００６１】
キーフレーズリストから一のキーフレーズを選択する操作が行われると（Ｓ３５）、入力部１１１は、選択されたキーフレーズをドロップ操作がなされた空欄箇所に入力する（Ｓ３６）。
【００６２】
アドレス取得部１０９は、読影対象の医用画像と比較対象の医用画像の両方についてその記憶先を示すアドレス情報を生成し（Ｓ３７）、リンク付け部１０８は、入力されたキーフレーズにアドレス取得部１０９が生成した読影対象と比較対象の医用画像のアドレス情報をハイパーリンクの形式で貼り付ける（Ｓ３８）。同時にハイパーリンクが設定されたリンク対応範囲のキーフレーズの色を変更しかつ下線を付して識別表示する（Ｓ３９）。
【００６３】
図９は、第２の実施形態に係るリンク付けの様子を示す模式図である。
【００６４】
参照情報表示部１０６には、医用画像の他、過去のレポートの一覧を表示する過去レポート一覧ウィンドウ３０３が表示される。この過去のレポートは、読影対象の患者に関する過去のレポートや比較対象の医用画像の読影の結果作成された過去レポートである。また、レポート表示部１０７には、この過去レポート一覧ウィンドウ３０３に表示された各過去のレポートから取得したキーフレーズを一覧にしたキーフレーズ選択ウィンドウ３０４が表示される。例えば、ハイパーリンク文字列である「２００６年３月ＸＸ日のＣＴと比較して」や「リンク」等、又は病名の文字列である「肺ガン」等がキーフレーズとして取得されてキーフレーズ選択ウィンドウ３０４に表示される。
【００６５】
このキーフレーズ選択ウィンドウ３０４から一つのキーフレーズを選択すると、所見欄２０１に選択されたキーフレーズが入力され、リンク付け文字列２０２となり、ハイパーリンクが設定されていることを示す文字飾りで修飾され、アンダーラインが付される。例えば、「２００６年３月ＸＸ日のＣＴと比較して」とのキーフレーズが選択されると、所見欄２０１にこの文字列が入力され、リンク付文字列２０２として複数の医用画像がリンク付けされる。
【００６６】
このように、リンク付けする文字列を自動生成することによって、読影医の作業効率化をさらに図ることができる。
【００６７】
（第３の実施形態）
次に、リンク付けを行う際にレポートに定型文を自動入力し、その定型文に対して医用画像のリンク付けを行う他の変形例を説明する。
【００６８】
文字列取得部１１０は、予め所定の定型文を記憶している。この定型文は、レポート作成プログラムの一部として外部記憶部１５ｃに記憶されており、リンク付け操作を契機として主記憶部１５ｂに展開される。例えば、予め記憶されている定型文は、「今回と前回の〔モダリティ〕を比較して」等の内部に変数を埋め込み可能な文字列である。埋め込む変数は、〔モダリティ〕等の識別子で表される。文字列取得部１１０がこの定型文に変数を埋め込んだ文字列を作成して、入力部１１１により所定欄２０１にリンク付け文字列２０２として入力される。
【００６９】
図１０は、第３の実施形態に係るリンク付け文字列となる定型文の作成動作を示すフローチャートである。
【００７０】
まず、レポート作成画面の所見欄２０１にある空欄箇所にドロップ操作がなされると（Ｓ４１）、文字列取得部１１０は、定型文を読み出す（Ｓ４２）。定型文を読み出すと、文字列取得部１１０は、定型文に記録されている識別子を抽出して（Ｓ４３）、データ取得部１０１が記憶している医用画像の属性情報や医療情報サーバ２に記憶されている医用画像の属性情報から、抽出した識別子に該当する種類の情報を取得する（Ｓ４４）。例えば、〔モダリティ〕の識別子であれば、医用画像を撮影したＣＴ等のモダリティを表す情報を取得する。
【００７１】
抽出した識別子に該当する情報を取得すると、読み出した定型文に、取得した情報を埋め込み（Ｓ４５）、定型文作成動作を終了する。
【００７２】
図１１は、第３の実施形態に係るリンク付けの様子を示す模式図である。
【００７３】
参照情報表示部１０６には、読影対象の医用画像３０１と比較対象の医用画像３０２とが表示されている。読影対象の医用画像３０１と比較対象の医用画像３０２は、何れもＸ線ＣＴ装置で撮影された画像である。一方、レポート表示部１０７には、所見欄２０１が表示されている。
【００７４】
この所見欄２０１の空欄箇所に読影対象の医用画像３０１をドラッグ＆ドロップすると、例えば「前回と今回の〔モダリティ〕を比較して」との定型文が読み出され、医用画像３０１と医用画像の３０２を撮影したモダリティであるＸ線ＣＴ装置を示す「ＣＴ」が埋め込まれて、所見欄２０１の空間箇所に入力される。この「前回と今回のＣＴを比較して」という文字列は、読影対象の医用画像３０１の記憶先を示すアドレス情報３０１ａと比較対象の医用画像３０２の記憶先を示すアドレス情報３０２ａリンク付けされ、リンク付け文字列２０２となる。
【００７５】
（第４の実施形態）
次に、リンク付けを行う際にレポートにリンク付けがなされる文字列を自動入力する変形例を説明する。
【００７６】
第４の実施形態に係るレポート作成装置１では、文字列取得部１１０は、比較対象の医用画像を読影して作成された過去レポートの内容をリンク付き文字列２０２として取得する。入力部１１１は、この取得された過去レポートの内容を所見欄２０１の空欄に入力する。
【００７７】
図１２は、第４の実施形態に係る過去レポートの内容をリンク付け文字列として取得する動作を示すフローチャートである。
【００７８】
まず、レポート作成画面の所見欄２０１にある空欄箇所にドロップ操作がなされると（Ｓ５１）、文字列取得部１１０は、比較対象の医用画像の識別情報を取得する（Ｓ５２）。識別情報を取得すると、この医用画像の識別情報と対になって記憶されている過去レポートの識別情報を医療情報サーバ２から取得する（Ｓ５３）。過去レポートの識別情報を取得すると、この過去レポートの識別情報を有する過去レポートをデータ記憶部１０２から検索する（Ｓ５４）。過去レポートが検索されると、表示制御部１０３が検索された過去レポートの一覧を表示し（Ｓ５５）、一覧から一の過去レポートがオペレータにより選択されると（Ｓ５６）、文字列取得部１１０は、その過去レポートの内容を取得し（Ｓ５７）、文字列取得動作を終了する。
【００７９】
図１３は、第４の実施形態に係るリンク付けの様子を示す模式図である。
【００８０】
参照情報表示部１０６には、読影対象の医用画像３０１と比較対象の医用画像３０２とが表示されている。一方、レポート表示部１０７には、所見欄２０１が表示されている。
【００８１】
この所見欄２０１の空欄箇所に読影対象の医用画像３０１をドラッグ＆ドロップすると、比較対象の医用画像３０２を読影した過去のレポートの一覧を表示する過去レポート一覧ウィンドウ３０３が表示される。この過去レポート一覧ウィンドウ３０３に表示されている過去のレポートの何れかをマウスで選択すると、選択された過去レポートの内容が取得されて所見欄２０１の空間箇所に入力される。この入力された過去のレポートの内容は、読影対象の医用画像３０１の記憶先を示すアドレス情報３０１ａと比較対象の医用画像３０２の記憶先を示すアドレス情報３０２ａリンク付けされ、リンク付け文字列２０２となる。
【００８２】
（第５の実施形態）
次に、リンク付けを行う際にレポートにリンク付けがなされる文字列を自動入力する変形例を説明する。
【００８３】
第５の実施形態に係るレポート作成装置１では、文字列取得部１１０は、比較対象の医用画像を読影して作成された過去レポートの識別情報をリンク付き文字列２０２として取得する。入力部１１１は、この取得された過去レポートの識別情報を所見欄２０１の空欄に入力する。
【００８４】
図１４は、第５の実施形態に係る過去レポートの識別情報をリンク付け文字列として取得する動作を示すフローチャートである。
【００８５】
まず、レポート作成画面の所見欄２０１にある空欄箇所にドロップ操作がなされると（Ｓ６１）、文字列取得部１１０は、比較対象の医用画像の識別情報を取得する（Ｓ６２）。識別情報を取得すると、この医用画像の識別情報と対になって記憶されている過去レポートの識別情報を医療情報サーバ２から取得する（Ｓ６３）。過去レポートの識別情報を取得すると、この過去レポートの識別情報の一覧を表示し（Ｓ６４）、一覧から一の過去レポートの識別情報がオペレータにより選択されると（Ｓ６５）、入力部１１１は、その過去レポートの識別情報を空欄箇所に入力し（Ｓ６５）、文字列取得動作を終了する。
【００８６】
図１５は、第５の実施形態に係るリンク付けの様子を示す模式図である。
【００８７】
参照情報表示部１０６には、読影対象の医用画像３０１と比較対象の医用画像３０２とが表示されている。一方、レポート表示部１０７には、所見欄２０１が表示されている。
【００８８】
この所見欄２０１の空欄箇所に読影対象の医用画像３０１をドラッグ＆ドロップすると、比較対象の医用画像３０２を読影した過去のレポートの識別情報一覧を表示する過去レポート一覧ウィンドウ３０３が表示される。この過去レポート一覧ウィンドウ３０３に表示されている識別情報の何れかをマウスで選択すると、選択された過去レポートの識別情報が取得されて所見欄２０１の空間箇所に入力される。この入力された過去のレポートの識別情報は、読影対象の医用画像３０１の記憶先を示すアドレス情報３０１ａと比較対象の医用画像３０２の記憶先を示すアドレス情報３０２ａとがリンク付けされ、リンク付け文字列２０２となる。
【００８９】
（第６の実施形態）
次に、第１の実施形態に係るレポート作成装置１の変形例を説明する。第１の実施形態では、サムネイル画像を除き表示されている医用画像の全てを同一文字列にリンク付けした。本実施形態のレポート作成装置１は、参照情報表示部１０６に多数の医用画像が表示されている場合に、読影対象の医用画像と関連づけられて取得された比較対象の医用画像とを一度のリンク付け操作で同一文字列にリンク付けするものである。
【００９０】
アドレス取得部１０９は、オペレータによりリンク付け操作が行われると、オブジェクトデータを参照して、読影対象の医用画像と比較対象の医用画像を特定し、これら医用画像のアドレス情報を生成する。
【００９１】
図１６は、第６の実施形態に係るレポート作成装置のリンク付け動作を示すフローチャートである。
【００９２】
まず、読影対象又は比較対象の何れかを指定するドラッグ操作入力されると（Ｓ７１）、リンク付け部１０８は、ドラッグ表示アイコンを表示して（Ｓ７２）、レポート作成画面のリンク対応範囲表示部分にドロップ操作がなされて文字列が指定されると（Ｓ７３）、アドレス取得部１０９は、オブジェクトデータを読み出す（Ｓ７４）。
【００９３】
アドレス取得部１０９は、オブジェクトデータに記録されている読影対象の医用画像３０１と比較対象の医用画像３０２の識別情報を取得し（Ｓ７５）、これら識別情報に基づいて読影対象と比較対象の医用画像３０１，３０２の両方についてその記憶先を示すアドレス情報を生成する（Ｓ７６）。
【００９４】
リンク付け部１０８は、リンク対応範囲表示部分に存在する同一文字列にアドレス取得部１０９が生成した読影対象と比較対象の医用画像３０１，３０２のアドレス情報をハイパーリンクの形式で貼り付ける（Ｓ７７）。同時にハイパーリンクが設定されたリンク対応範囲の文字列の色を変更しかつ下線を付して識別表示する（Ｓ７８）。
【００９５】
図１７は、第６の実施形態に係るリンク付けの様子を示す模式図である。
【００９６】
参照情報表示部１０６には、読影対象の医用画像３０１と比較対象の医用画像３０２の他に、その他の医用画像３０３，３００・・・が表示されている。読影対象の医用画像３０１がリンク付け操作のために「肝臓両葉の腫瘍は前回ＣＴと比較して」なるリンク付け文字列２０２に対してドラッグ＆ドロップされると、読影対象の医用画像３０１に対するオブジェクトデータを医療情報サーバ２から読み出して、このオブジェクトデータに記録されている読影対象の医用画像３０１と比較対象の医用画像３０２の識別情報を取得する。そして、この取得した識別情報を基にアドレス情報を生成し、所見欄２０１のリンク付け文字列２０２にリンク付けする。すなわち、一度のリンク付け操作では、読影対象の医用画像３０１と比較対象の医用画像３０２の両方のみが同一の文字列にリンク付けされる。
【００９７】
このように、オブジェクトデータ等の医用画像の関連づけを示す情報を参照して、読影対象の医用画像３０１と関連づけられている比較対象の医用画像３０２のみを同一の文字列にリンク付けするようにしたから、無駄な医用画像が同一文字列にリンク付けされることがなく、レポートの作成効率がさらに向上するとともに、レポートの質向上を図ることができる。
【図面の簡単な説明】
【００９８】
【図１】レポート作成装置を含む病院情報システムの構成を示す模式図である。
【図２】レポート作成装置の構成を示すブロック図である。
【図３】第１の実施形態に係るレポート作成装置の機能を示す機能ブロック図である。
【図４】第１の実施形態に係るレポート作成装置のリンク付け動作を示すフローチャートである。
【図５】第１の実施形態に係るリンク付けの様子を示す模式図である。
【図６】リンク付けがされた文字列部分のデータ構成を示す模式図である。
【図７】第２の実施形態に係るレポート作成装置の機能を示す機能ブロック図である。
【図８】第２の実施形態に係るレポート作成装置のリンク付け動作を示すフローチャートである。
【図９】第２の実施形態に係るリンク付けの様子を示す模式図である。
【図１０】第３の実施形態に係るリンク付け文字列となる定型文の作成動作を示すフローチャートである。
【図１１】第３の実施形態に係るリンク付けの様子を示す模式図である。
【図１２】第４の実施形態に係る過去レポートの内容をリンク付け文字列として取得する動作を示すフローチャートである。
【図１３】第４の実施形態に係るリンク付けの様子を示す模式図である。
【図１４】第５の実施形態に係る過去レポートの識別情報をリンク付け文字列として取得する動作を示すフローチャートである。
【図１５】第５の実施形態に係るリンク付けの様子を示す模式図である。
【図１６】第６の実施形態に係るレポート作成装置のリンク付け動作を示すフローチャートである。
【図１７】第６の実施形態に係るリンク付けの様子を示す模式図である。
【符号の説明】
【００９９】
１  レポート作成装置
１１  ワークステーション装置
１２  レポートモニタ
１３  参照情報モニタ
１４  キーボード
１５  マウス
１５ａ  演算制御部
１５ｂ  主記憶部
１５ｃ  外部記憶部
１５ｄ  通信ポート
１５ｅ  出力インターフェース
１５ｆ  入力インターフェース
１０１  データ取得部
１０２  データ記憶部
１０３  表示制御部
１０４  レポート作成部
１０５  操作部
１０６  参照情報表示部
１０７  レポート表示部
１０８  リンク付け部
１０９  アドレス取得部
１１０  文字列取得部
１１１  入力部
２  医療情報サーバ
Ｎ  ネットワーク
【図２】
2008204012.tif 000003
【図３】
2008204012.tif 000004
【図４】
2008204012.tif 000005
【図５】
2008204012.tif 000006
【図６】
2008204012.tif 000007
【図７】
2008204012.tif 000008
【図８】
2008204012.tif 000009
【図９】
2008204012.tif 000010
【図１０】
2008204012.tif 000011
【図１１】
2008204012.tif 000012
【図１２】
2008204012.tif 000013
【図１３】
2008204012.tif 000014
【図１４】
2008204012.tif 000015
【図１５】
2008204012.tif 000016
【図１６】
2008204012.tif 000017
【図１７】
2008204012.tif 000018
【図１】
2008204012.tif 000019